(57)【特許請求の範囲】
【請求項１】
折り目に沿って折り曲げることにより平面から立体に変化するシート状容器であって，
互いに対向し，内向きに湾曲する２本の略円弧状の第１の折り目と，それら第１の折り目に直交する方向で互いに対向し，内向きに湾曲する２本の略円弧状の第２の折り目とが形成され,
上記第１の折り目と第２の折り目は互いに交差すると共に，交差した先の端部は，互いにループ状に連結されており，
上記２本の第１の折り目の最も狭い部分の間隔と，上記２本の第２の折り目の最も狭い部分の間隔が，共に，大人の親指と中指の間に収まる寸法であり，
当該構造体の上記第１の折り目の外側の第１の両側部を，上記第１の折り目に沿って同方向に折り曲げることにより，それに伴って上記第２の折り目の外側の第２の両端部も上記第２の折り目に沿って上記第１の両端部と同じ向きに立ち上がるように，前記第１の折り目及び第２の折り目に折癖がつけられてなるシート状容器において，
上記第２の両端部に，その縁部を縁取り，その中央部分において内向きに凸の形状に形成されてなる第３の折り目が形成され，
上記第２の両端部が上記第２の折り目に沿って立ち上がる際に，更に上記第２の両端部の縁部が上記第３の折り目に沿って上記第２の折り目とは逆の方向に折り返されるように，前記第３の折り目の折癖がつけられてなるシート状容器。
【請求項２】
上記第１の両端部に，それぞれ略半円状の第４の折り目が形成され，
上記第１の折り目に沿って上記第１の両端部を折り曲げた時，更に上記第４の折り目に沿って上記第１の折り目とは逆の方向に折り返すことが可能に構成されてなる請求項１に記載のシート状容器。
【請求項３】
当該シート状構造体の繊維の方向に略直交するように上記第１の折り目が形成されてなる請求項１あるいは２のいずれかに記載のシート状容器。
【請求項４】
平面状態で略瓢箪形に形成されてなる請求項１〜３のいずれかに記載のシート状容器。
【発明の詳細な説明】
【０００１】
【産業上の利用分野】
本発明は，たとえばトレーなどの容器や家具，建築構造などに利用可能な，折り目に沿って折り曲げることにより平面から立体に連続的に変化するシート状構造体に関するものである。
【０００２】
【従来の技術】
世の中には，平面状のものを立体化して利用している例が数多く存在する。紙製のトレーや箱，衣料品，家具など，例を挙げればきりがないほどである。
ところで，従来，それら平面物を立体化して利用している物の殆どは，折り曲げ処理などと共に糊付けや縫い合わせなどを伴っていたり，或いはプレス加工などの塑性変形処理が施されている。
【０００３】
【発明が解決しようとする課題】
しかしながら，このような加工を行って平面物を立体化してしまうと，基本的に元の平面物に戻すことはできない。従って，例えば使用時にのみ立体化し，使用前や使用後はかさばらない平面の状態で持ち運びや収納を行うようなことができない場合が多かった。
例えば，このような物の１つである紙皿は，従来，平面状の紙をプレス加工などによって立体形状に成形した円形若しくは楕円形のものがほとんどであった。
また，例えば平面に単に折り目を付けて立体化するとしても，この場合には通常複数箇所を順次折り進め，段階的に立体化する必要があり，手間がかかるという問題点があった。
更に，従来の紙皿に限って言えば，次のような問題点も有していた。即ち，立食パーティーなどの際には，人は，料理をのせた紙皿と，飲み物を入れたグラスと，箸（若しくはフォーク等）の３つを同時に持ったまま，移動したり話をしたりする必要がある。しかしながら，このような時に上記のような従来の紙皿を用いると，料理をのせた紙皿だけで片方の手が塞がってしまうため，例えば箸は紙皿の上に置いたとしても，少なくともグラスはもう片方の手で持たざるを得ない。従って，紙皿の料理を食べようとすれば，グラスは必ずテーブルの上に置かなければならない。このように，従来の紙皿は特に立食パーティーなどで用いるには非常に不便であった。
本発明は，上記事情に鑑みてなされたものであり，その第１の目的は，ワンアクションで平面から立体へ連続的に変化させることが可能なシート状構造物，及びその応用物であるトレー等を提供することである。更には，上記シート状構造物をトレーとして具現化した場合に，グラス等と共に片手で容易に保持可能とすることを第２の目的とする。
【０００４】
【課題を解決するための手段】
上記目的を達成するために，本発明は，折り目に沿って折り曲げることにより平面から立体に変化するシート状容器であって，
互いに対向し，内向きに湾曲する２本の略円弧状の第１の折り目と，それら第１の折り目に直交する方向で互いに対向し，内向きに湾曲する２本の略円弧状の第２の折り目とが形成され,
上記第１の折り目と第２の折り目は互いに交差すると共に，交差した先の端部は，互いにループ状に連結されており，
上記２本の第１の折り目の最も狭い部分の間隔と，上記２本の第２の折り目の最も狭い部分の間隔が，共に，大人の親指と中指の間に収まる寸法であり，
当該構造体の上記第１の折り目の外側の第１の両側部を，上記第１の折り目に沿って同方向に折り曲げることにより，それに伴って上記第２の折り目の外側の第２の両端部も上記第２の折り目に沿って上記第１の両端部と同じ向きに立ち上がるように，前記第１の折り目及び第２の折り目に折癖がつけられてなるシート状容器において，
上記第２の両端部に，その縁部を縁取り，その中央部分において内向きに凸の形状に形成されてなる第３の折り目が形成され，
上記第２の両端部が上記第２の折り目に沿って立ち上がる際に，更に上記第２の両端部の縁部が上記第３の折り目に沿って上記第２の折り目とは逆の方向に折り返されるように，前記第３の折り目の折癖がつけられてなるシート状容器として構成されている。
【０００５】
このような構成とすることにより，上記シート状構造体を平面から立体に変化させる際には，例えば第１の両端部を上記第１の折り目に沿って谷折りして上記第１の両端部を立ち上げると，それに連動して自然と上記第２の両端部も同じ方向に立ち上がる。即ち，上記シート状構造体は，第１の両端部を例えば片手で握るだけで，四方の面が同方向に立ち上がり，平面であったものが連続的に立体形状となり，例えばトレーなどの用途に耐えうる形状となるため，取り扱いは極めて容易である。また，上記シート状構造体を紙皿などのトレーとして片手で保持できるサイズに形成した場合，上記第１の両端部の片側に形成される曲面に缶やグラスなどを沿わせれば，グラス等と共に片手で容易且つ安定的に保持することが可能である。更に，使用しない状態（折り曲げていない状態）では完全な平面となるため，保存や持ち運びの際に場所をとらず，取り扱いも容易である。
【０００６】
また，上記第２の両端部に，その縁部を縁取る第３の折り目を形成し，上記第２の両端部が上記第２の折り目に沿って立ち上がる際に，更に上記第２の両端部の縁部を上記第３の折り目に沿って上記第２の折り目とは逆の方向に折り返せば，例えば手指等で保持されていない第２の両端部の縁部も十分な強度が確保される。
ここで，上記第２の両端部を立ち上がりやすく，また滑らかな曲面とするため，上記第３の折り目は，上記第２の折り目と同じようにその中央部分において内向きに凸の形状に形成することが望ましい。
【０００７】
更に，上記第１の両端部に，それぞれ略半円状の第４の折り目を形成し，上記第１の折り目に沿って上記第１の両端部を折り曲げた時，更に上記第４の折り目に沿って上記第１の折り目とは逆の方向に折り返せば，例えば当該シート状構造体をトレーとして用いた場合にはその折り曲げ部分を例えば箸置きとして利用することができ，便利である。
また，当該シート状構造体を構成する材料（例えば紙）の繊維の方向に直交するように上記第１の折り目を形成すれば，上記第１の折り目において正確に折り曲げやすくなり，また，上記第１の両端部の折り曲げ反力が大きく得られるため，当該シート状構造体の保持がより安定すると共に，トレーとして利用する場合に同時に保持したグラス等の保持もより安定する。
【０００８】
また，当該シート状構造体を平面状態で略瓢箪形に形成したり，また第１，第２の折り目の端部を互いにループ状に連結すれば，使用状態において各面やその周縁部が滑らかな曲線，曲面を描き，取り扱いの機能面で優れているだけでなく，見た目にも美しい。
更に，上記のように第１，第２の折り目の端部を互いにループ状に連結することで，上記第１の折り目に沿って上記第１の両端部を折り曲げる際に，上記第１の折り目に沿って生じる折り曲げ力はスムーズに上記第２の折り目の方向に逃がされるため，上記第１の折り目の延長方向に当該シート状構造体の縁部に至る折り目が形成されることを防止できる。これにより，上記第１の両端部の折り曲げ反力をより大きくすることができ，当該シート状構造体の保持がより安定すると共に，トレーとして利用する場合に同時に保持したグラス等の保持もより安定する。
【０００９】
【発明の実施の形態】
以下，添付図面を参照して，本発明の実施の形態につき説明し，本発明の理解に供する。尚，以下の実施の形態は本発明を具体化した一例であって，本発明の技術的範囲を限定する性格のものではない。
ここに，図１は本発明に係る紙皿１の平面図，図２は図３の（ａ），（ｂ）に対応する紙皿１の側面図及び正面図，図３は上記紙皿１を片手で保持する際の形態変化を２段階に示した図，図４は片手で上記紙皿１と同時に缶を保持した状態を示す図，図５は片手で上記紙皿１と同時にグラスを保持した状態を示す図，図６は折り目５ａ，５ｂを山折りして箸置きとした状態を示す図，図７は折り目２ａ，２ｂと折り目３ａ，３ｂとのループ状の接続による効果の説明図である。
【００１０】
本実施の形態に係る紙皿１（シート状構造体により構成されるトレーの一例）は，図１に示すような略瓢箪形の平面紙片により構成されている。
上記紙皿１に用いる紙は，食品をのせる紙皿としての利用に耐えうる程度の厚さとコシがあり，表面には耐水性を高めるためのコーティング等が施されていることが望ましい。もちろん，材料は紙に限られるものではなく，プラスチックなどの樹脂や金属，木，或いはそれらを複合的に用いることも可能である。
【００１１】
また，上記紙皿１には，図１に示すような４種類の折り目２ａ，２ｂ，〜，５ａ，５ｂが，例えば癖付けプレス加工などによって形成されている。
上記折り目２ａ，２ｂ（第１の折り目に相当）は，それぞれ上記紙皿１の瓢箪型のくびれ部分にあたる端部１０ａ，１０ｂ（第１の両端部に相当）に沿うように，互いに向き合う略円弧状に形成されている。また，折り目３ａ，３ｂ（第２の折り目に相当）は，上記折り目２ａ，２ｂと直交する方向に，互いに向き合う略円弧状に形成されている。更に，それら折り目２ａ，２ｂと折り目３ａ，３ｂとは，隣り合う同士が互いに交差し，その交差した先の端部は互いにループ状に連結されている。即ち，上記折り目２ａ，３ａ，２ｂ，３ｂは，互いに連結されて１本の無端状の折り目を形成している。
【００１２】
また，上記折り目４ａ，４ｂ（第３の折り目に相当）は，紙皿１の瓢箪形の突出部分にあたる端部１１ａ，１１ｂ（第２の両端部に相当）を縁取るように，またその中央部が若干内向きに凸となるように形成されている。
また，上記折り目５ａ，５ｂ（第４の折り目に相当）は，端部１０ａ，１０ｂ（上記折り目２ａ，２ｂよりも外側）に，それぞれ略半円状に形成されている。
尚，実際の使用時には，紙皿１の上面側から見て，折り目２ａ，２ｂ，３ａ，３ｂは谷折り，折り目４ａ，４ｂは山折り，折り目５ａ，５ｂは必要に応じて山折りされる。従って，使用前には予め上記各折り目に若干癖付けをしておくことが望ましい。
【００１３】
以上のような紙皿１を使用する際には，図３（ａ），（ｂ）に示すように，片手で紙皿１の両端部１０ａ，１０ｂを上記折り目２ａ，２ｂに沿って谷折りし，上記両端部１０ａ，１０ｂを立ち上げる。すると，上記折り目２ａ，２ｂの弧の形状構造により更に折り目３ａ，３ｂと連動して両端部１１ａ，１１ｂが上記両端部１０ａ，１０ｂと同じ方向に連続的に立ち上がる（図２に示す側面図及び正面図参照）。即ち，一方向へ力を加えることによって平面状の紙片が連続的に立体形状（トレー形状）に変化する。この時，折り目３ａ，３ｂは谷折り，折り目４ａ，４ｂは山折りされるため，両端部１１ａ，１１ｂはそれら２種類の折り目の曲線に沿って若干内側に反った滑らかな曲面形状を形成する。
【００１４】
このように，紙皿１は，その両端部１０ａ，１０ｂを片手で握るだけで，四方の面が同方向に立ち上がって平面形状から立体形状へと連続的に変化し，紙皿としての用途に耐えうる形状となる。また，紙皿１の両端部１０ａ，１０ｂが折り目２ａ，２ｂに沿って折り曲げられると，上記両端部１０ａ，１０ｂにはそれに対抗して元に戻ろうとする反力が生じるため，紙皿１はそれを保持した手に吸いつくようにしっかりと保持される。更に，上記両端部１１ａ，１１ｂの縁部は上記折り目４ａ，４ｂに沿って山折りされるため，手指で保持されていない両端部１１ａ，１１ｂの縁部も十分な強度が確保される。また，全体形状が略瓢箪形をしているため，使用状態において周縁部が滑らかな曲線を描き，取り扱いの機能面で優れているだけでなく，見た目にも美しい。更に，折り目２ａ，２ｂと折り目３ａ，３ｂとは隣り合う同士が互いにループ状に連結されているため，折り目２ａ，２ｂに沿って上記両端部１０ａ，１０ｂを折り曲げる際に，上記折り目２ａ，２ｂに沿って生じる折り曲げ力はスムーズに上記折り目３ａ，３ｂの方向に逃がされ，上記折り目２ａ，２ｂの延長方向に図７に破線で示すような縁部に至る折り目が形成されることを防止できる。これにより，上記両端部１０ａ，１０ｂの折り曲げ反力をより大きくすることができ，当該紙皿１の保持がより安定する。
【００１５】
また，上記のように片手で紙皿１を保持した状態で，図４及び図５に示すように，例えば端部１０ａ及び折り目２ａで形成された曲面に缶やグラスなどを沿わせれば，紙皿１と缶，グラス等を同時に保持することも容易である。このとき，紙皿１と共に保持された缶，グラス等には，紙皿１の端部１０ａからの反力が働くため，缶若しくはグラスは上記端部１０ａと手指との間でしっかりと挟持され，片手でも安定して保持することができる。
【００１６】
また，片手で紙皿１を保持した状態（グラス等を同時に保持している場合を除く），或いはその状態で紙皿１にある程度の癖付けがされて例えばテーブルの上に置かれた状態で，上記折り目５ａ，５ｂを山折りすれば，その折り曲げ部分は図６に示すように箸置きとして利用することができる。
【００１７】
以上説明したように，本実施の形態に係る紙皿１は，グラス等と共に片手で容易且つ安定的に保持することが可能である。また，その両端部１０ａ，１０ｂを片手で握るだけで平面形状から立体形状へと連続的に変化し，紙皿としての用途に耐えうる形状となるため，取り扱いは極めて容易である。更に，上記両端部１１ａ，１１ｂの縁部は上記折り目４ａ，４ｂに沿って山折りされるため，手指で保持されていない両端部１１ａ，１１ｂの縁部も十分な強度が確保される。更に，折り目２ａ，２ｂと折り目３ａ，３ｂとは隣り合う同士が互いにループ状に連結されているため，折り目２ａ，２ｂに沿って上記両端部１０ａ，１０ｂを折り曲げる際に，上記折り目２ａ，２ｂに沿って生じる折り曲げ力はスムーズに上記折り目３ａ，３ｂの方向に逃がされ，上記折り目２ａ，２ｂの延長方向に図７に破線で示すような縁部に至る折り目が形成されることを防止できる。これにより，上記両端部１０ａ，１０ｂの折り曲げ反力をより大きくすることができ，当該紙皿１の保持がより安定する。更に，上記折り目５ａ，５ｂを山折りすれば，その折り曲げ部分は図６に示すように箸置きとして利用することができる。
また，使用しない状態（折り曲げていない状態）では完全な平面となるため，保存や持ち運びの際に場所をとらず，取り扱いも容易である。
【００１８】
【実施例】
上記紙皿１では，上記折り目２ａ，２ｂにおいてなるべく正確に折り曲げやすくし，平面から立体へ変化する一連の動作につながる発生力をより大きくすると共に，その折り曲げ反力を大きくしてグラス等を同時に保持した場合の安定性を高めるため，上記折り目２ａ，２ｂを紙の繊維と直交する方向に合わせて形成することが望ましい。
また，上記実施の形態では，本発明に係るシート状構造体を紙皿として具現化した例を示したが，上記シート状構造体は上記のような構成により平面形状から立体形状に連続的に変化させられるものであるから，この性質を利用して，例えば椅子などの家具，建築構造等，様々な分野への応用が期待できる。
【００１９】
【発明の効果】
以上説明したように，本発明は，折り目に沿って折り曲げることにより平面から連続的に立体に変化するシート状構造体であって，互いに対向する２本の略円弧状の第１の折り目と，それら第１の折り目に直交する方向で互いに対向する２本の略円弧状の第２の折り目とが形成され，当該構造体の上記第１の折り目の外側の第１の両側部を，上記第１の折り目に沿って同方向に折り曲げることにより，それに伴って上記第２の折り目の外側の第２の両端部も上記第２の折り目に沿って上記第１の両端部と同じ向きに立ち上がるように構成されてなることを特徴とするシート状構造体として構成されているため，第１の両端部を例えば片手で握るだけで，四方の面が同方向に自然と立ち上がり，平面であったものが連続的に立体形状となり，例えばトレーなどの用途に耐えうる形状となるため，取り扱いは極めて容易である。また，上記シート状構造体を紙皿などのトレーとして片手で保持できるサイズに形成した場合，上記第１の両端部の片側に形成される曲面に缶やグラスなどを沿わせれば，グラス等と共に片手で容易且つ安定的に保持することが可能である。更に，使用しない状態（折り曲げていない状態）では完全な平面となるため，保存や持ち運びの際に場所をとらず，取り扱いも容易である。
【００２０】
また，上記第２の両端部に，その縁部を縁取る第３の折り目を形成し，上記第２の両端部が上記第２の折り目に沿って立ち上がる際に，更に上記第２の両端部の縁部が上記第３の折り目に沿って上記第２の折り目とは逆の方向に折り返せば，例えば手指等で保持されていない第２の両端部の縁部も十分な強度が確保される。
ここで，上記第２の両端部を立ち上がりやすく，また滑らかな曲面とするため，上記第３の折り目は，上記第２の折り目と同じようにその中央部分において内向きに凸の形状に形成することが望ましい。
【００２１】
更に，上記第１の両端部に，それぞれ略半円状の第４の折り目を形成し，上記第１の折り目に沿って上記第１の両端部を折り曲げた時，更に上記第４の折り目に沿って上記第１の折り目とは逆の方向に折り返せば，例えば当該シート状構造体をトレーとして用いた場合にはその折り曲げ部分を例えば箸置きとして利用することができ，便利である。
また，当該シート状構造体を構成する材料（例えば紙）の繊維の方向に直交するように上記第１の折り目を形成すれば，上記第１の折り目において正確に折り曲げやすくなり，また，上記第１の両端部の折り曲げ反力が大きく得られるため，当該シート状構造体の保持がより安定すると共に，トレーとして利用する場合に同時に保持したグラス等の保持もより安定する。
【００２２】
また，当該シート状構造体を平面状態で略瓢箪形に形成したり，また第１，第２の折り目の端部を互いにループ状に連結すれば，使用状態において各面やその周縁部が滑らかな曲線，曲面を描き，取り扱いの機能面で優れているだけでなく，見た目にも美しい。
更に，上記のように第１，第２の折り目の端部を互いにループ状に連結することで，上記第１の折り目に沿って上記第１の両端部を折り曲げる際に，上記第１の折り目に沿って生じる折り曲げ力はスムーズに上記第２の折り目の方向に逃がされるため，上記第１の折り目の延長方向に当該シート状構造体の縁部に至る折り目が形成されることを防止できる。これにより，上記第１の両端部の折り曲げ反力をより大きくすることができ，当該シート状構造体の保持がより安定すると共に，トレーとして利用する場合に同時に保持したグラス等の保持もより安定する。
【図面の簡単な説明】
【図１】  本発明に係る紙皿１の平面図。
【図２】  図３の（ａ），（ｂ）に対応する紙皿１の側面図及び正面図。
【図３】  上記紙皿１を片手で保持する際の形態変化を２段階に示した図。
【図４】  片手で上記紙皿１と同時に缶を保持した状態を示す図。
【図５】  片手で上記紙皿１と同時にグラスを保持した状態を示す図。
【図６】  折り目５ａ，５ｂを山折りして箸置きとした状態を示す図。
【図７】  折り目２ａ，２ｂと折り目３ａ，３ｂとのループ状の接続による効果の説明図。
【符号の説明】
１…紙皿
２ａ，２ｂ…折り目（第１の折り目に相当）
３ａ，３ｂ…折り目（第２の折り目に相当）
４ａ，４ｂ…折り目（第３の折り目に相当）
５ａ，５ｂ…折り目（第４の折り目に相当）
１０ａ，１０ｂ…両端部（第１の両端部に相当）
１１ａ，１１ｂ…両端部（第２の両端部に相当）
【図１】
0004505622.tif 000002
【図２】
0004505622.tif 000003
【図３】
0004505622.tif 000004
【図４】
0004505622.tif 000005
【図５】
0004505622.tif 000006
【図６】
0004505622.tif 000007
【図７】
0004505622.tif 000008